(57)【要約】　　　（修正有）【課題】清掃用ワイプスが支持される支持体を、保持柄に対して角度を多段に変えた姿勢で安定できるようにする。【解決手段】清掃用ワイプスを支持する支持体の基部に設けられた回動部３１には、複数の凹部３８ａ，３８ｂ，３８ｃ，３８ｄと、各凹部間に位置する円筒面の一部となる摺動面３９ａ，３９ｂ，３９ｃ，３９ｄが形成されている。保持柄２には軸方向へ摺動するロック部材５０が設けられ、このロック部材５０が圧縮コイルスプリング５５の付勢力で付勢され、ロック部５３が前記いずれかの凹部に嵌合できるようになっている。ロック部５３が摺動面３９ｂに当たっている状態で支持体４を回動させれば、前記ロック部５３は直ちに凹部３８ｃに嵌合するため、支持体４の向きを簡単に且つ確実に変えることができる。【選択図】　　図５
2004049619.tif 000002
【特許請求の範囲】
【請求項１】
保持柄の先部に、清掃用ワイプスを支持可能な支持体が回動自在に連結されており、前記支持体の回動中心線が、前記保持柄の軸方向と交叉する方向へ向けられている清掃用保持具において、
前記支持体には、前記回動中心線から法線方向へ所定距離を空けて形成された摺動面と、前記摺動面を起点として前記回動中心線に向けて形成された複数の凹部とが設けられて、前記摺動面と前記凹部とが前記回動中心線を中心とする回動方向へ交互に配置されており、
前記保持柄の内部に、前記凹部内に入り込むことが可能なロック部材が前記保持柄の軸方向へ移動自在に設けられるとともに、前記ロック部材に対して前記凹部に向く付勢力を与える付勢部材と、前記前記付勢部材による付勢力と逆の方向へ前記ロック部材を移動させる操作部材とが付属していることを特徴とする清掃用保持具。
【請求項２】
前記摺動面は、前記回動中心線を中心とする仮想円筒面に一致している請求項１記載の清掃用保持具。
【請求項３】
前記支持体には、これに取り付けられる清掃用ワイプスを被清掃面に押し当てる清掃支持面が形成されており、前記複数の凹部を選択して前記ロック部材を入り込ませることにより、前記保持柄の軸方向と前記清掃支持面との角度が複数段階に設定可能である請求項１または２記載の清掃用保持具。
【請求項４】
前記凹部のうちの１つが折畳みロック凹部とされており、この折畳みロック凹部に前記ロック部材が入り込んだときに、前記保持柄と前記支持体とが重なる状態に折り畳まれる請求項１ないし３のいずれかに記載の清掃用保持具。
【請求項５】
前記操作部材は、前記保持柄の外周面に露出して保持柄の軸方向と交叉する方向へ移動可能な押圧釦であり、この押圧釦と前記ロック部材との少なくとも一方には、前記押圧釦の押圧方向と前記ロック部材の移動方向の双方に対して傾斜する傾斜摺動面が形成されており、前記押圧釦が押されたときに前記傾斜摺動部に作用する摺動分力によって、前記ロック部材が前記付勢部材による付勢力に対抗する方向へ移動させられる請求項１ないし４のいずれかに記載の清掃用保持具。
【請求項６】
前記操作部材は、前記保持柄の外周面に露出して保持柄の軸方向へ移動自在な摺動釦であり、前記摺動釦により前記ロック部材が前記付勢部材による付勢力に対抗する方向へ移動させられる請求項１ないし４のいずれかに記載の清掃用保持具。
【請求項７】
請求項１ないし６のいずれかに記載の清掃用保持具、および前記支持体に装着される清掃用ワイプスとから成る清掃物品において、前記清掃用ワイプスは、少なくとも不織布または紙を有し、あるいは少なくとも不織布と繊維の束とが組み合わされて形成された使い捨て用であり、この清掃用ワイプスに形成された保持空間部に前記支持体が差し込まれることにより、前記清掃用ワイプスが前記支持体に支持されることを特徴とする清掃物品。
【発明の詳細な説明】
【０００１】
【発明の属する技術分野】
本発明は、使い捨て用などの清掃用ワイプスを保持する清掃用保持具、およびその清掃用保持具と清掃用ワイプスとが組み合わされた清掃物品に関する。
【０００２】
【従来の技術およびその問題点】
不織布などから成る清掃布を保持する清掃具として、特開平９−１５４７９１号公報や特開平９−３８００９号公報には、片手で保持できる短い柄、または軸方向へ伸ばして長い状態にできる柄の先部に、前記清掃布を支持するヘッド部が設けられたものが開示されている。
【０００３】
しかし、前記公報に記載のものは、前記柄の先部でヘッド部が動くことなく一定の向きに固定されているため、ヘッド部に清掃布を取り付けて被清掃面を清掃する際に、前記被清掃面の向きに応じて手で保持した柄の向きを変えることが必要であり、家具の表面などのようないろいろな向きの被清掃面を清掃するときに不便であった。
【０００４】
また、特開昭５１−８５２７３号公報や、特開２００２−１７６４０号公報には、柄の先部にブラシ形状の清掃用具がその向きを調整自在に取り付けられているものが開示されている。
【０００５】
これらは、柄の先部に、前記ブラシ形状の清掃用具が回動できるように取り付けられている。その回動連結部では、前記清掃用具と一体に回転する回転部の外周に複数の凹部が形成され、前記柄には前記凹部に嵌合するロック部材が設けられており、前記ロック部材を前記凹部に嵌合させることにより、ブラシ状の清掃用具の向きを変えて固定できるようになっている。
【０００６】
しかし、前記特開昭５１−８５２７３号公報に開示されているものは、前記清掃用具の向きを決めた状態で、柄の外周の雄ねじに螺着されている回転リングを前記雄ねじに沿って締めることによって、前記ロック部材と前記凹部との嵌合を安定させている。そのため、清掃用具の向きを変えるときに、いちいち回転リングをねじの緩み方向へ回転させてから清掃用具の向きを変え、さらに回転リングをねじの締め付け方向へ回転させるというきわめて煩雑な作業が必要となる。また前記回転リングを設ける分だけ柄の先部が太くなるのみならず、重量も嵩むものとなる。
【０００７】
また、前記特開２００２−１７６４０号公報に開示されているものは、ブラシ状の清掃用具の向きを回動させて変化させた後に、柄に設けられた操作部を手で柄の先部方向へ押し出して、この操作部に設けられたロック部を前記凹部に嵌合させるものとなっている。したがって、清掃用具の向きを決めるときに操作部を柄の先部に向けて指で強く押す必要があり、清掃用具の向きを固定する操作が煩雑である。
【０００８】
しかも、前記両公報に開示されているものは、ロック部材と凹部とが確実に対面していない状態で、前記回転リングを回転させ、または操作部を手で押し出すと、ロック部材が凹部に入り込むことができず、ロック部材と凹部とを嵌合させることができないことがある。そのため、ロック部材と凹部とが対向するように調整してから、前記回転リングや操作部を操作することが必要であり、清掃用具の向きを確実に固定する際に手間を取りやすい。
【０００９】
さらに、前記両公報に記載のものは、ブラシ状の清掃具の向きを所定の角度範囲で変えることができるが、この清掃具を柄と重なるように折り畳むことはできない。すなわち、前記両公報に記載のものは、使い捨ての清掃用ワイプスを支持することを目的としたものではなく、長期間使用するブラシ状の清掃具が柄に取り付けられているものである。そのため、使用していないときにも清掃具が取り付けられたまま放置しておくことを前提としており、使い捨てワイプスを取り付けるもののように、ワイプスを取り外した状態で折り畳んで保管するなどの使用状態を想定しているものではない。
【００１０】
本発明は上記従来の課題を解決するものであり、清掃用ワイプスを取り付ける支持体の向きを簡単な操作で変えることができ、しかも前記支持体の向きを確実に変えた状態で不用意に回動しないように安定させることができる清掃用保持具およびその清掃用保持具を用いた清掃物品を提供することを目的としている。
【００１１】
【課題を解決するための手段】
本発明は、保持柄の先部に、清掃用ワイプスを支持可能な支持体が回動自在に連結されており、前記支持体の回動中心線が、前記保持柄の軸方向と交叉する方向へ向けられている清掃用保持具において、
前記支持体には、前記回動中心線から法線方向へ所定距離を空けて形成された摺動面と、前記摺動面を起点として前記回動中心線に向けて形成された複数の凹部とが設けられて、前記摺動面と前記凹部とが前記回動中心線を中心とする回動方向へ交互に配置されており、
前記保持柄の内部に、前記凹部内に入り込むことが可能なロック部材が前記保持柄の軸方向へ移動自在に設けられるとともに、前記ロック部材に対して前記凹部に向く付勢力を与える付勢部材と、前記前記付勢部材による付勢力と逆の方向へ前記ロック部材を移動させる操作部材とが付属していることを特徴とするものである。
【００１２】
この清掃用保持具では、前記付勢部材の付勢力に対向してロック部材を前記凹部から離れる方向へ移動させると、ロック部材と凹部とのロックが外れて支持体が回動できる。そして前記ロック部材への操作力を解除すると、ロック部材は前記付勢力により柄の軸方向へ移動して、ロック部材と凹部とが嵌合して支持体が係合固定状態（ロック状態）となる。
【００１３】
ここで、前記ロック部材への操作力を解除したときに、ロック部材と凹部が対向していなくても、ロック部材が前記付勢力を受けて前記摺動面に当接するため、そのまま支持体を少し回動させれば、前記付勢力によりロック部材が自動的に凹部に嵌入して係合固定状態に移行できる。すなわち、支持体の向きを変えるときには、操作部材を操作してロック部材を凹部から離す方向へ移動させ、その後に支持体を回動させながら操作部材から手を離し、さらに支持体を少し回動さるだけで自動的に係合固定状態に移行でき、支持体の向きを変える操作がきわめて簡単である。
【００１４】
また、この清掃用保持具では、ロック部材が保持柄の内部で軸方向へ移動して支持体の凹部に入り込む構造であるため、ロック凹部を太いものにでき、また支持体の凹部が形成されている部分も幅広にできる。したがって、ロック部と凹部とが嵌合した状態で、ロック強度を高くできる。しかもロック部材が軸方向へ移動する構造であると、保持柄を細く形成することができる。
【００１５】
また、ロック部材と操作部材が保持柄側に設けられ、前記ロック部材が回動連結部と離れた位置に設けられているため、保持柄と支持体との回動連結部の構造をシンプルにでき、また前記回動中心線から前記摺動面までの半径も大きくでき、凹部とロック部とが係合固定されたときの固定強度を高くできる。よって、支持体の向きを設定して前記係合固定させた状態で、支持体の向きが不用意に変化しないように安定化させることができる。
【００１６】
また、本発明は、前記摺動面が、前記回動中心線を中心とする仮想円筒面に一致する構成である。
【００１７】
前記摺動面が円筒面の一部であると、ロック部材が摺動面に当たっている状態で、支持体を回動させたときに、ロック部材が摺動面をスムースに摺動して前記凹部に嵌合するようになる。ただし、本発明では、凹部と凹部の間に位置する前記摺動面が、例えば前記回動中心線を中心とする仮想円の接線方向に延びる平面であってもよい。
【００１８】
また、本発明は、前記支持体に、これに取り付けられる清掃用ワイプスを被清掃面に押し当てる清掃支持面が形成されており、前記複数の凹部を選択して前記ロック部材を入り込ませることにより、前記保持柄の軸方向と前記清掃支持面との角度が複数段階に設定可能なものとして構成している。
【００１９】
このように、清掃用ワイプスを被清掃面に押し当てる清掃支持面の角度を多段に切り替えることにより、柄を清掃しやすい向きに変えて清掃することができ、例えば、家具などのように被清掃面の向きが様々である場合、または天井などの清掃も容易にできるようになる。
【００２０】
また、本発明は、前記凹部のうちの１つが折畳みロック凹部とされており、この折畳みロック凹部に前記ロック部材が入り込んだときに、前記保持柄と前記支持体とが重なる状態に折り畳まれるものが好ましい。
【００２１】
この折畳みロック凹部を有していると、この清掃用保持具を使用しないときに、例えば前記支持体から清掃用ワイプスを取り外した状態で、支持体と保持柄とが重なる状態に折り畳んでおくことができ、広い保管スペースが不要になる。
【００２２】
また、本発明は、前記操作部材は、前記保持柄の外周面に露出して保持柄の軸方向と交叉する方向へ移動可能な押圧釦であり、この押圧釦と前記ロック部材との少なくとも一方には、前記押圧釦の押圧方向と前記ロック部材の移動方向の双方に対して傾斜する傾斜摺動面が形成されており、前記押圧釦が押されたときに前記傾斜摺動部に作用する摺動分力によって、前記ロック部材が前記付勢部材による付勢力に対抗する方向へ移動させられるものとして構成できる。
【００２３】
本発明のように、ロック部材が保持柄の軸方向へ移動する構造では、保持柄を細いものにできるが、このような構造のものにおいて押圧釦を、保持柄の軸と交叉する方向へ押圧できるものとすると、ロック部材と凹部との係合固定（ロック）を解除する操作がきわめて容易である。
【００２４】
あるいは、本発明は、前記操作部材は、前記保持柄の外周面に露出して保持柄の軸方向へ移動自在な摺動釦であり、前記摺動釦により前記ロック部材が前記付勢部材の付勢力に対抗する方向へ移動させられるものとして構成できる。
【００２５】
このように、摺動釦が保持柄の軸方向へ移動するものであると、保持柄の内部の構造を簡単にでき、保持柄を細いものとしてもロック部材を確実に動作させることができる。
【００２６】
さらに、本発明は、前記いずれかに記載の清掃用保持具、および前記支持体に装着される清掃用ワイプスとから成る清掃物品において、前記清掃用ワイプスは、少なくとも不織布または紙を有し、あるいは少なくとも不織布と繊維の束とが組み合わされて形成された使い捨て用であり、この清掃用ワイプスに形成された保持空間部に前記支持体が差し込まれることにより、前記清掃用ワイプスが前記支持体に支持されることを特徴とするものである。
【００２７】
かかる構成によれば、前記清掃用ワイプスが柔軟性を有するものとなるため、支持体への取付けや交換が容易になる。
【００２８】
【発明の実施の形態】
図１は本発明の第１の実施の形態の清掃用保持具の全体側面図であり、（Ａ）は支持体の清掃支持面が、保持柄の中心線に対して角度の相違する３つの清掃ポジションのそれぞれに設定された状態、（Ｂ）は前記清掃支持面が、保持柄の中心線に対して直角に向けられた清掃ポジションに設定された状態、（Ｃ）は支持体が保持軸に重なるように折り畳まれた状態を示している。
【００２９】
図２は支持体の構造と、この支持体に取り付けられる清掃用ワイプスとから成る清掃物品の一例を示す斜視図、図３は保持柄と支持体との回動連結部およびロック機構部を示す分解斜視図、図４は前記回動連結部およびロック機構部をＸ−Ｙ平面で切断した断面図、図５（Ａ）（Ｂ）および図６（Ａ）（Ｂ）は、支持体が各ポジションに回動した状態をＹ−Ｚ平面で切断した断面図である。
【００３０】
図１に示す清掃用保持具１は、保持柄２と収納保持柄３を有している。図１では保持柄２が収納保持柄３から前方へ伸び出た状態を示しているが、前記保持柄２を収納保持柄３の内部に収納させることにより、保持柄２と収納保持柄３との組立体の全長をさらに短くできる。また、前記収納保持柄３をさらに多段に伸縮できる構造にすると、保持柄２と収納保持柄３との組立体の全長をさらに長くすることもできる。
【００３１】
図３以下に示すように、前記保持柄２は断面が中空円形の筒体で形成されており、前記収納保持柄３もその断面が中空円形の筒体である。図１（Ａ）では、前記保持柄２および収納保持柄３の軸中心線をＯｓで示している。
【００３２】
前記保持柄２の先部には、回動連結部５によって支持体４が回動自在に連結されている。この回動連結部５での前記支持体４の回動中心線をＯｒで示している。この実施の形態では、前記回動中心線Ｏｒが、前記保持柄２の軸中心線Ｏｓと直交する向きに設定されている。支持体４は、前記回動中心線Ｏｒを中心として回動可能であり、また保持柄２の内部に設けられたロック機構部６によって、前記支持体４が各ポジションに回動した状態で、支持体４の向きを係合固定（ロック）できるようになっている。
【００３３】
図１（Ａ）に示すように、前記支持体４の下面は、この支持体４に取り付けられる清掃用ワイプス８を被清掃面に押し付ける清掃支持面４ａとなっている。この実施の形態では、前記支持体４の向きが５段階に設定されて、支持体４がそれぞれの向きで係合固定される。
【００３４】
図１（Ａ）に示すように、前記支持体４の清掃支持面４ａが前記保持柄２の軸中心線Ｏｓとほぼ平行となる向きが第１の清掃ポジション（ｉ）、前記清掃支持面４ａが前記第１の清掃ポジション（ｉ）よりも下方向へθ１だけ回動した向きが第２の清掃ポジション（ｉｉ）、前記清掃支持面４ａが前記第１の清掃ポジション（ｉ）よりも上方向へθ１だけ回動した向きが第３の清掃ポジション（ｉｉｉ）である。
【００３５】
また図１（Ｂ）に示すように、前記清掃支持面４ａが、前記第３の清掃ポジション（ｉｉｉ）よりもさらに上方向へθ１だけ回動した向きが第４の清掃ポジション（ｉｖ）であり、このとき清掃支持面４ａと前記軸中心線Ｏｓとがほぼ直角となる。さらに、図１（Ｂ）の第４の清掃ポジション（ｉｖ）よりも支持体４がさらに時計方向へθ２だけ回動すると、清掃支持面４ａが上向きで且つ前記清掃支持面４ａが前記軸中心線Ｏｓとほぼ平行となって、支持体４が保持柄２と重なるように折り畳まれて折畳みポジション（ｖ）となる。
【００３６】
第１の清掃ポジション（ｉ）から第４の清掃ポジション（ｉｖ）を設定する際の各ポジション間での支持体４の回動角度θ１は同じであり、また第４の清掃ポジション（ｉｖ）から折畳みポジション（ｖ）へ移行するまでの支持体４の回動角度θ２は、前記清掃ポジション間の回動角度θ１よりも大きく設定されている。例えば、前記θ１は４５度で、前記θ２は９０度である。
【００３７】
また、前記保持柄２の先部には前記ロック機構部６での係合固定（ロック）状態を解除するための操作部材としての押圧釦７０が設けられており、この押圧釦７０は、保持柄２の外周面から突出している。前記押圧釦７０は、支持体４が保持柄２に折り畳まれた折畳みポジション（ｖ）であっても操作できるように、前記折畳みポジション（ｖ）のときに前記支持体４と干渉しない位置に設けられている。
【００３８】
前記保持柄２、収納保持柄３、支持体４および前記回動連結部５とロック機構部６を構成する部材は、コイルスプリングを除いて全て合成樹脂製であり、例えばＡＢＳ、塩化ビニル、ＰＥ（ポリエチレン）、ＰＰ（ポリプロピレン）、ＰＥＴ（ポリエチレンテレフタレート）などで形成されている。
【００３９】
図２に示すように、前記支持体４は、前記回動連結部５から前方に延びる腕部１４と、この腕部１４から二股状に分岐して平行に延びる平板状の支持片１１，１１を有し、それぞれの支持片１１，１１の外縁には２個ずつの薄肉で変形可能な突部１２，１２が一体に形成されている。前記支持片１１，１１の分岐部には、前記支持片１１と支持片１１との間に延びる押さえ片１３が一体に形成されている。そして、前記支持片１１，１１の下面が前記清掃支持面４ａ，４ａとなっている。
【００４０】
図２に示す清掃用ワイプス８は、その本体２１が、不織布、不織布の積層体、紙の積層体、発泡樹脂材料、あるいは不織布とＴＯＷと称される繊維の束との積層体などで形成された使い捨て可能で軟質なものである。前記本体２１の上面には不織布などで形成された保持シート２２が重ねられており、前記本体２１と保持シート２２とが、縦方向に延びる一対の側部接合線２３，２３と両側部接合線２３と２３との間に平行に形成された中央接合線２４とで接合されている。
【００４１】
前記本体２１と保持シート２２との間には、それぞれの側部接合線２３，２３と中央接合線２４とで挟まれた保持空間部２５，２５が形成されており、本体２１の長手方向の両側に前記保持空間部２５，２５の開口部２５ａ，２５ａが開口している。前記支持体４の支持片１１，１１をいずれかの開口部２５ａ，２５ａから前記保持空間部２５，２５内に挿入すると、前記押さえ片１３が保持シート２２の上面を押さえるようになり、これにより、前記清掃用ワイプス８は前記支持体４に容易に離脱しないように取り付けられる。
【００４２】
支持体４に前記清掃用ワイプス８が取り付けられた状態で、前記支持片１１，１１の下面の清掃支持面４ａ，４ａで、前記清掃用ワイプス８の本体２１を、床、家具などの被清掃面に押し付けることができる。
【００４３】
なお前記支持体４には、使い捨てワイプスではなく、洗濯により再使用できる清掃用ワイプスが取り付けられてもよい。
【００４４】
図３に示すように、前記支持体４の前記腕部１４の基部にはほぼ円盤形状の回動部３１が一体に形成されており、この回動部３１に軸孔３２がＸ方向へ貫通して形成されている。前記保持柄２の先部には、一対の円盤状の支持部３３と３３が一体に形成されており、この支持部３３と支持部３３との間に支持空間３４が形成されている。そして支持部３３と支持部３３には、Ｘ方向へ貫通する支持孔３５，３５が形成されている。
【００４５】
前記支持体４に形成された回動部３１の厚さ寸法と、前記支持空間３４の内幅寸法はほぼ同じであり、前記回動部３１は、前記支持空間３４内にほぼ隙間なく挿入される。図４に示すように、一方の支持部３３の外面から支持孔３５内に第１の支持軸３６ａが挿入され、他方の支持部３３の外面から支持孔３５内に第２の支持軸３６ｂが挿入される。第１の支持軸３６ａと第２の支持軸３６ｂは、共に前記回動部３１の軸孔３２の内部に挿入されて、第１の支持軸３６ａと第２の支持軸３６ｂとが前記軸孔３２内で凹凸嵌合し、必要に応じて第１の支持軸３６ａと第２の支持軸３６ｂとが互いに接着されて固定される。
【００４６】
その結果、前記支持体４と一体の回動部３１は、前記第１の支持軸３６ａと第２の支持軸３６ｂの周囲で回動自在となる。前記第１の支持軸３６ａと第２の支持軸３６ｂの軸中心線が前記回動中心線Ｏｒである。前述のように、この実施の形態では、前記回動中心線Ｏｒは、前記保持柄２の軸中心線Ｏｓと直交する向きに設定されている。
【００４７】
図３および図５（Ａ）に示すように、前記支持体４と一体の前記回動部３１の外周面には、回動中心線Ｏｒに向く第１の凹部３８ａ、第２の凹部３８ｂ、第３の凹部３８ｃ、第４の凹部３８ｄが形成されている。図３に示すように、前記各凹部３８ａ，３８ｂ，３８ｃ，３８ｄは、Ｘ方向（回動中心線Ｏｒと平行な方向）へ向けて一定の幅で直線的に形成されている。そして、図５（Ａ）に示すように、回動中心線Ｏｒを中心とした回転方向の開き角度は、第１の凹部３８ａと第２の凹部３８ｂとの間がθ１、第１の凹部３８ａと第３の凹部３８ｃとの間がθ１、そして第３の凹部３８ｃと第４の凹部３８ｄとの間がθ１である。前記θ１は例えば４５度である。
【００４８】
また、前記第４の凹部３８ｄから反時計方向への開き角度がθ２となる位置に折畳みロック凹部３８ｅが形成されている。前記θ２は例えば９０度である。
【００４９】
そして、前記第１の凹部３８ａと第２の凹部３８ｂとの間には第１の摺動面３９ａが形成され、第１の凹部３８ａと第３の凹部３８ｃとの間に第２の摺動面３９ｂが形成され、第３の凹部３８ｃと第４の凹部３８ｄとの間に第３の摺動面３９ｃが形成されている。また前記第４の凹部３８ｄと前記折畳みロック凹部３８ｅとの間に折畳み摺動面３９ｄが形成されている。前記各摺動面３９ａ，３９ｂ，３９ｃ，３９ｄは、前記回動中心線Ｏｒを中心とする半径Ｒの仮想円筒面にそれぞれ一致している。
【００５０】
この実施の形態では、保持柄２の前方に支持部３３，３３が設けられて、その間に支持体４の回動部３１が挟まった構造であるため、回動部３１を幅広で、しかも前記半径Ｒを比較的大きくでき、前記凹部にロック部５３（後に詳述する）が嵌合したときの係合固定強度（ロック強度）を高くできる。
【００５１】
次に、前記ロック機構部６の構造を説明する。
図３に示すように、前記保持柄２は筒状であり、その内部には機構収納空間２ａが形成されている。前記機構収納空間２ａの前記支持部３３側である前方には、前記支持空間３４との間を区分する隔壁４１が、保持柄２と一体に形成されており、この隔壁４１に、保持柄２の軸方向（軸中心線Ｏｓ方向）へ貫通する矩形状の窓４２が形成されている。
【００５２】
前記保持柄２には、前記支持部３３よりも少しだけ基部側に離れた位置（前記収納保持柄３に近い位置）に、保持柄２の円筒状の周壁をＸ方向に貫通する操作孔４３が開口している。また、前記操作孔４３よりも基部側には、前記周壁をＸ方向に関する小径の嵌合孔４４が形成されている。前記保持柄２の内周面には、前記隔壁４１の内面から保持柄２の軸方向に向けて延びる一対の摺動溝２ｂと摺動溝２ｃが形成されている。この摺動溝２ｂ，２ｃは上下方向（Ｚ方向）に対向する位置に形成されている。
【００５３】
前記保持柄２の機構収納空間２ａ内にはロック部材５０が挿入されている。前記ロック部材５０の摺動本体５１の上面５１ａと下面５１ｂは、前記機構収納空間２ａの内周面と同じ曲率の曲面となっており、ロック部材５０が前記機構収納空間２ａに挿入されると、前記上面５１ａと下面５１ｂが、前記機構収納空間２ａの内面を摺動できるようになっている。
【００５４】
前記摺動本体５１の上面５１ａにはＹ方向に延びるリブ５１ｃが形成されているとともに、前記下面５１ｂにはＹ方向に延びるリブ５１ｄが形成されており、前記リブ５１ｃと５１ｄが、前記摺動溝２ｂ，２ｃ内に摺動自在に嵌合することにより、前記ロック部材５０は、前記機構収納空間２ａ内において回動することなく保持柄２の軸方向へ沿って移動自在となっている。
【００５５】
前記ロック部材５０には、前記摺動本体５１よりも前方に延びる断面が矩形状の摺動軸５２が保持柄３の軸方向に向けて設けられ、この摺動軸５２が前記隔壁４１に形成された窓４２内に挿入される。前記摺動軸５２の先部には、断面が矩形状のロック部５３が一体に形成されており、このロック部５３が前記支持空間３４内に突出可能となっている。
【００５６】
前記摺動本体５１の前面には、前記摺動軸５２を挟んで上下方向（Ｚ方向）の両側に摺動傾斜面５１ｅと５１ｆが形成されている。この摺動傾斜面５１ｅと５１ｆは、保持柄２の軸方向であるＹ方向と、押圧釦７０の押圧方向であるＸ方向の双方に対して傾斜している。
【００５７】
前記ロック部材５０には、前記摺動本体５１の後方に、断面が円形の案内軸５４が保持柄２の軸方向に向けて一体に形成されている。そして、この案内軸５４の外周に、付勢部材としての圧縮コイルスプリング５５が設けられている。
【００５８】
前記機構収納空間２ａ内には、前記隔壁４１から基部側へ離れた位置にストッパ部材６０が設けられている。このストッパ部材６０は、前記保持柄２と別体に構成されたものであり、前記隔壁４１に対向する円盤形状のストッパ壁６１を有し、このストッパ壁６１の中心に、円形の案内孔６２が保持柄２の軸方向に貫通して形成されている。前記ストッパ部材６０には、前記ストッパ壁６１よりも後方に向けて延びる一対の弾性片６３と６４が形成されている。図４に示すように、一方の弾性片６３には、前記保持柄２の内周面に形成された溝に嵌合する嵌合爪６３ａが一体に形成され、他方の弾性片６４には、前記嵌合孔４４に嵌合して、保持柄２の外周面に露出する嵌合突起６５が一体に形成されている。
【００５９】
前記ロック部材５０および圧縮コイルスプリング５５が前記機構収納空間２ａに挿入されて、前記摺動軸５２が前記窓４２に挿入された後に、前記ストッパ部材６０が前記機構収納空間２ａ内に組み付けられると、前記弾性片６３の嵌合爪６３ａが保持柄２の内周面に嵌合し、また前記嵌合突起６５が前記嵌合孔４４に嵌合して、ストッパ部材６０が抜けないように固定される。
【００６０】
この状態で、前記ロック部材５０の案内軸５４が前記ストッパ壁６１の案内孔６２内に挿入され、前記圧縮コイルスプリング５５が、前記隔壁４１と前記ストッパ壁６１との間に圧縮された状態で介装される。この圧縮コイルスプリング５５の付勢力により、前記ロック部材５０は常に前記支持空間３４に向く方向へ付勢される。
【００６１】
なお、前記嵌合突起６５を指で押して、この嵌合突起６５を嵌合孔４４から内方へ抜き出せば、前記ロック部材５０を前記機構収納空間２ａ内から取り外し可能である。
【００６２】
前記保持柄２に開口している前記操作孔４３には、操作部材としての前記押圧釦７０が装着される。前記押圧釦７０には、上下方向（Ｚ方向）に対向する一対の操作片７１と７２が一体に形成されており、この操作片７１には外側に突出する掛止爪７１ａが形成され、同様に操作片７２にも外側に向けて突出する掛止爪７２ａ（図示省略）が形成されている。この押圧釦７０は前記保持柄２の機構収納空間２ａ内に挿入されて、前記操作孔４３を通して外側へ突出するように組み付けられる。この組み付けにより、前記掛止爪７１ａと７２ａが前記機構収納空間２ａ内にストッパ（図示せず）に当たって、押圧釦７０は前記操作孔４３から所定寸法外側へ突出した状態でそれ以上抜け出ないように、且つＸ方向へ押圧動作自在に取り付けられる。
【００６３】
前記押圧釦７０のそれぞれの操作片７１と７２には、前記ロック部材５０の摺動本体５１に向けられる押圧部７１ｂ，７２ｂが形成されている。この押圧部７１ｂ，７２ｂは、前記摺動本体５１の摺動傾斜面５１ｅ，５１ｆと同じ向きに傾斜しており、この押圧部７１ｂ，７２ｂが、前記摺動傾斜面５１ｅ，５１ｆに摺動可能に当接している。
【００６４】
次に、前記清掃用保持具１の動作について説明する。
図１（Ａ）に示すように、支持体４の清掃支持面４ａが、保持柄２の軸中心線Ｏｓとほぼ平行な第１の清掃ポジション（ｉ）のとき、前記回動連結部５およびロック機構部６は図５（Ａ）の状態である。
【００６５】
図５（Ａ）では、前記ロック部材５０が前記圧縮コイルスプリング５５の付勢力により、支持空間３４に向けて付勢されているため、ロック部材５０に一体に形成された前記ロック部５３は、前記支持体４の基部に設けられた回動部３１の第１の凹部３８ａに嵌合している。よって、支持体４は、図１（Ａ）に示す第１の清掃ポジション（ｉ）で係合固定（ロック）されている。
【００６６】
また、図４に示すように、ロック部材５０に形成された摺動傾斜面５１ｅ，５１ｆによって、押圧釦７０の押圧部７１ｂ，７２ｂが隔壁４１に向けて押されているため、前記摺動傾斜面５１ｅ，５１ｆの摺動分力により、前記押圧釦７０は、保持柄２の外周面から突出させられており、この突出状態で外周面側から押圧操作可能となっている。
【００６７】
前記支持体４の向きを変更するには、まず前記押圧釦７０を図３に示すＸ方向へ押圧する。前記押圧釦７０が押されると、押圧部７１ｂ，７２ｂによって摺動傾斜面５１ｅ，５１ｆが押され、その分力によりロック部材５０が圧縮コイルスプリング５５のばね力に抗して支持空間３４から離れる方向へ移動させられる。その結果、ロック部材５０のロック部５３が前記第１の凹部３８ａから抜け出て支持体４の係合固定が解除される。
【００６８】
前記支持体４の係合固定を解除した状態で、押圧釦７０を押し続けながら支持体４を回動させ、前記凹部３８ｂ，３８ｃ，３８ｄ，３８ｅのいずれかが前記ロック部５３に対向したときに、前記押圧釦７０への押圧力を解除すると、ロック部材５０は圧縮コイルスプリング５５の付勢力を受けて前進し、ロック部５３が前記いずれかの凹部内に嵌合して、支持体４がそれぞれのポジションに選択された向きで係合固定される。ロック部５３が凹部３８ｂに嵌合しているときが第２の清掃ポジション（ｉｉ）、凹部３８ｃ、３８ｄに嵌合しているときがそれぞれ第３の清掃ポジション（ｉｉｉ）と第４の清掃ポジション（ｉｖ）、そして折畳みロック凹部３８ｅに嵌合しているときが、折畳みポジション（ｖ）である。
【００６９】
ただし、この実施の形態では、支持体４がいずれかの姿勢で係合固定されている状態において、前記押圧釦７０を押圧して前記係合固定を解除して、支持体４を少し回動させた時点で、押圧釦７０への押圧力を解除することで、隣接する凹部内にロック部５３を確実に嵌合させることができる。
【００７０】
例えば、図５（Ａ）に示すように、ロック部５３が第１の凹部３８ａに嵌合している係合固定状態において、押圧釦７０を押圧してロック部材５０を図示右方向へ後退させ、ロック部５３を第１の凹部３８ａから抜き出した後に、支持体４を時計方向へ少し回動させた状態で前記押圧釦７０に対する押圧力を解除する。すると、ロック部材５０は圧縮コイルスプリング５５の付勢力により前進させられ、図５（Ｂ）に示すように、ロック部５３はその先端が第１の凹部３８ａに隣接する第２の摺動面３９ｂに圧接させられる。この状態で、押圧釦７０を押すことなく、支持体４を少しだけ時計方向へ回動させれば、圧縮コイルスプリング５５の付勢力を受けているロック部５３は、その先端が第２の摺動面３９ｂを摺動してから、第３の凹部３８ｃに自動的に入り込んで、支持体４が第３の清掃ポジション（ｉｉｉ）の向きで係合固定される。
【００７１】
これは、ロック部５３を第２の凹部３８ｂや第４のロック部３８ｄに嵌合させるときも同じであり、またロック部５３を折畳みロック凹部３８ｅに嵌合させるときも同じである。図６（Ａ）はロック部５３が第４の凹部３８ｄに嵌合して、支持体４が第４の清掃ポジション（ｉｖ）で係合固定されている状態を示している。この状態から押圧釦７０を押して、ロック部５３を第４の凹部３８ｄから抜き出させ、その直後に押圧釦７０の押圧力を除去すると、前記ロック部５３の先端が折畳み摺動面３９ｄに圧接させられる。この状態で、支持体４を図６（Ｂ）に示す位置まで回動させると、ロック部５３は、その先端が折畳み摺動面３９ｄを摺動してから、折畳みロック部凹部３８ｅに嵌合し、支持体４は折畳みポジション（ｖ）で係合固定される。
【００７２】
このように、押圧釦７０を押して直ぐに離す簡単な操作で、支持体４をそれぞれのポジションで係合固定させることができる。また、支持体４を保持柄２側に折り畳んで安定させる場合も、押圧釦７０を一度押し、その後に支持体４を回動させるだけで、折畳みポジション（ｖ）を設定でき、また支持体４を折畳みポジション（ｖ）で確実に係合固定できるようになる。
【００７３】
なお、押圧釦７０の操作方向は、保持柄２の軸中心線Ｏｓと直交する向きに押圧するだけであるため、その操作はきわめて簡単である。また図１（Ｃ）の折畳みポジション（ｖ）において、押圧釦７０が支持体４と干渉しない位置にあるため、前記折畳みポジション（ｖ）でも、支持体４に邪魔されることなく押圧釦７０を押圧操作できる。
【００７４】
この実施の形態での清掃物品では、前記支持体４に前記清掃用ワイプス８を取り付けた状態で、支持体４の清掃支持面４ａを図１（Ａ）に示す第１の清掃ポジション（ｉ）または第２の清掃ポジション（ｉｉ）で係合固定することにより、家具の上面などの清掃ができ、第３の清掃ポジション（ｉｉｉ）で係合固定することにより床面などの清掃ができる。また図１（Ｂ）に示すように、清掃支持面４ａを、保持柄２の軸中心線Ｏｓと直角な向きにして床面などを清掃することも可能である。しかも、第４の清掃ポジション（ｉｖ）から支持体４を回動させて図１（Ｃ）に示す折畳みポジション（ｖ）とすることもできる。折畳みポジション（ｖ）では、支持体４から清掃用ワイプス８を取り外しておくことにより、清掃用保持具１をコンパクトな状態として保管することができる。さらに折畳みポジション（ｖ）として、保持柄２を収納保持柄３内に収納して保持柄の長さを短くすることにより、さらにコンパクトにでき、狭いスペースに保管できるようになる。
【００７５】
図７は本発明の第２の実施の形態の清掃用保持具１０１の一部分を示す分解斜視図である。
【００７６】
この清掃用保持具１０１は、ロック機構部１０６の構造が、第１の実施の形態のロック機構部６と相違している。しかし、相違しているのはロック部材１５０の支持構造のみであり、ロック部材１５０の動作そのものは前記ロック機構部６と同じである。また支持体４の構造や回動連結部５の構造などは、前記第１の実施の形態の清掃用保持具１と同じである。また支持体４の回動動作および各姿勢での係止固定のための動作は、図１、図４、図５および図６などに記載の動作と同じである。以下、清掃用保持具１０１の構造のうち、前記清掃用保持具１と相違している部分のみを説明する。
【００７７】
図７に示す保持柄１０２は円筒形状であり、その先部には、回動連結部５を構成する支持部３３，３３および、支持部３３と支持部３３との間に位置する支持空間３４が形成されている。
【００７８】
この保持柄１０２の内部には内壁から内方へ向けて突出するリング状のストッパ１４１が一体に形成されており、このストッパ１４１の中心部に保持柄１０２の軸方向に貫通する掛止孔１４１ａが形成されている。前記保持柄１０２の内部には、前記ストッパ１４１よりも前方部分に機構収納空間１０２ｂが形成されている。この機構収納空間１０２ｂは、Ｚ方向に対向する上壁面１０２ｄと下壁面１０２ｅとが円筒の一部であり、前記Ｚ方向に延びる側壁面１０２ｆと側壁面１０２ｇが、Ｙ−Ｚ平面と平行な平坦面である。
【００７９】
前記機構収納空間１０２ｂの上壁面１０２ｄには、前記ストッパ１４１から前方に向けて延びる所定の幅寸法の掛止リブ１０２ｈが形成され、下壁面１０２ｅにも、前記ストッパ１４１から前方に向けて延びる掛止リブ１０２ｉが形成されている。また、前記機構収納空間１０２ｂの前端には、前記支持空間３４と連通する開口部１４２が形成されている。この開口部１４２の開口形状は、上縁１４２ａと下縁１４２ｂが、前記上壁面１０２ｄと下壁面１０２ｅにそれぞれ連続する円弧形状であり、両側縁部１４２ｃと１４２ｄは、前記両側壁面１０２ｆおよび１０２ｇにそれぞれ連続する直線形状である。
【００８０】
前記保持柄１０２には、前記ストッパ１４１と開口部１４２との中間部分に、保持柄２の円筒状の周壁をＸ方向に貫通する操作孔１４３が開口している。
【００８１】
前記保持柄１０２の機構収納空間１０２ｂ内にはガイド部材１６０が収納されている。このガイド部材１６０は、上面１６１ａと下面１６１ｂが前記機構収納空間１０２ｂの上壁面１０２ｄおよび下壁面１０２ｅと一致する円筒面で、側面１６１ｃおよび側面１６１ｄが、前記機構収納空間１０２ｂの両側壁面１０２ｆおよび１０２ｇにそれぞれ一致する平面である。
【００８２】
前記ガイド部材１６０の基端面１６１ｅには、その上下部分から後方へ向けて一体に形成された掛止片１６２，１６２が設けられており、それぞれの掛止片１６２，１６２の先端部には外方へ向けられた掛止爪１６２ａ，１６２ａが一体に形成されている。また、前記掛止片１６２，１６２の基端部では、前記基端面１６１ｅと前記上面１６１ａおよび基端面１６１ｅと下面１６１ｂとの間に、それぞれ段差部１６３，１６３が形成されている。
【００８３】
また、前記ガイド部材１６０の内部には、保持柄１０２の軸方向（Ｙ方向）と直交するＸ方向に貫通する摺動空間１６４が形成されている。この摺動空間１６４の先端には、前記保持柄１０２の開口部１４２を塞ぐ壁面１６５が形成されており、この壁部１６５には矩形状の摺動穴１６６が開口している。また前記基端面１６１ｅには、前記摺動空間１６４に連通する円形の案内穴１６７が形成されている。また前記摺動空間１６４のＺ方向に対面する下壁面と上壁面には、それぞれ押圧釦７０の抜け止め用の掛止突起１６８，１６８が前記摺動空間１６４の内部に向けて突出している。
【００８４】
前記摺動空間１６４の内部にはロック部材１５０が収納される。このロック部材１５０は前記第１の実施の形態のロック部材５０と同じ機能を発揮するものであり、支持空間３４に向く先部に、断面が矩形状のロック部１５１が一体に形成されている。このロック部１５１の基部にはストッパ部１５２と１５３がＸ方向へ突出して形成されており、一方のストッパ部１５３には、前記ロック部１５１を挟んで上下に摺動傾斜面１５４ａと１５４ｂがそれぞれ形成されている。この摺動傾斜面１５４ａと１５４ｂは、第１の実施の形態のロック部材５０に形成された摺動傾斜面５１ｅおよび５１ｆと同じ角度で形成されている。
【００８５】
前記ロック部材１５０には、基部方向に延びる案内軸１５５が一体に形成されている。このこの案内軸１５５の外周に、付勢部材としての圧縮コイルスプリング５５が装着される。
【００８６】
また、このロック機構部１０６では、前記第１の実施の形態において用いたのと同じ押圧釦７０が操作部材として使用される。
【００８７】
次に、前記ロック機構部１０６の組み立てについて説明する。
まず、ロック部材１５０の案内軸１５５の外周に圧縮コイルスプリング５５を装着して、ロック部１５１と案内軸１５５を摺動孔１６６と案内孔１６７に挿入する。この組み立ては、ロック部１５１と案内軸１５５のいずれか一方を前記穴１６６または１６７に挿入し、そしてＹ方向へずらしながら他方を前記穴に挿入することで行われる。ガイド部材１６０内にロック部材１５０が装着されると、圧縮コイルスプリング５５は、ストッパ部１５２，１５３と、基端面１６１ｅの内壁面との間に介装される。
【００８８】
次に、ロック部材１５０と圧縮コイルスプリング５５とが組み込まれたガイド部材１６０を、保持柄１０２の前記開口部１４２から前記機構収納空間１０２ｂに向けて挿入する。この挿入動作では、ガイド部材１６０の後端の段差部１６３，１６３が、前記掛止リブ１０２ｈと１０２ｉの先端面に当たった状態で、前記掛止片１６２，１６２が前記掛止孔１４１ａ内に入り込み、掛止片１６２，１６２に形成された掛止爪１６２ａ，１６２ａが、ストッパ１４１の基端側の掛止面１４１ｂに掛止される。これによりガイド部材１６０は、前記機構収納空間１０２ｂ内で保持柄１０２の軸方向へ動くことなく、また軸中心線Ｏｓ回りに回動することなく収納される。また、保持柄１０２の前記開口部１４２がガイド部材１６０の壁面１６５で塞がれる。
【００８９】
そして、その後に前記回動連結部５を組み立てると、前記ロック部材１５０のロック部１５１が、支持体４の回動部３１の凹部３８ａ，３８ｂ，３８ｃ，３８ｄ，３８ｅのいずれかに嵌合し、または摺動面３９ａ，３９ｂ，３９ｃ，３９ｄのいずれかに当接した状態となる。
【００９０】
次に、保持柄１０２の外方から前記操作孔１４３内へ押圧釦７０を挿入する。このとき前記押圧釦７０のそれぞれの操作片７１と７２は、その対向間隔が縮まるように弾性変形し、先部の掛止爪７１ａ，７２ａが、ガイド部材１６０の摺動空間１６４の下壁面と上壁面を摺動する。さらに押圧釦７０を押し込むと、前記掛止爪７１ａ，７２ａが、摺動空間１６４の掛止突起１６８，１６８に掛止されて、押圧釦７０がガイド部材１６０から抜け出ないように保持される。そして、操作片７１，７２に形成された押圧部７１ｂ，７２ｂが、ロック部材１５０の前記摺動傾斜面１５４ａ，１５４ｂに摺動可能に当接する。
【００９１】
このようにして組み立てられたロック機構部１０６では、図４に示した第１の実施の形態のロック機構部６と同様の動作を行うことができる。すなわち、圧縮コイルスプリング５５の付勢力を受けているロック部１５１が、前記回動部３１の凹部３８ａ，３８ｂ，３８ｃ，３８ｄ，３８ｅのいずれかに嵌合する。そして押圧釦７０を押すと、押圧部７１ｂ，７２ｂと摺動傾斜面１５４ａ，１５４ｂとの摺動動作によりロック部材１５０が支持空間３４から抜け出る方向へ移動し、前記ロック部１５１と前記凹部との嵌合が解除される。
【００９２】
上記のように、ガイド部材１６０にロック部材１５０と圧縮コイルスプリング５５とを組み込んだ後に、この組立体を保持柄１０２の機構収納空間１０２ｂ内に装着すると、組み立てが非常に簡単になり、効率よい組立作業を行うことができる。
【００９３】
図８は本発明の第３の実施の形態の清掃用保持具２０１を示すものであり、図４と同じ向きの断面図である。
【００９４】
この清掃用保持具２０１は、ロック部材と操作部材の構造のみが前記第１の実施の形態の清掃用保持具１と相違するが、その他の構造は前記清掃用保持具１と同じであるため、前記第１の実施の形態の清掃用保持具１と同じ構成部分に同一の符号を付して、その重複する説明を省略する。
【００９５】
図８に示す清掃用保持具２０１では、前記保持柄２の機構収納空間２ａ内に、ロック部材２５０が設けられている。このロック部材２５０は、摺動本体２５１が機構収納空間２ａ内で軸方向へ摺動自在に支持されているとともに、先部に設けられたロック部２５３が、前記支持体４の回動部３１に設けられた前記凹部３８ａ，３８ｂ，３８ｃ，３８ｄ，３８ｅおよび摺動面３９ａ，３９ｂ，３９ｃ，３９ｄに向けられている。そしてロック部材２５０の後方に設けられた案内軸２５４の外周に圧縮コイルスプリング５５が設けられ、この圧縮コイルスプリング５５のばね力によって、前記ロック部材２５０は常に保持柄２の先部方向へ付勢されている。
【００９６】
このロック部材２５０には、操作部材としての摺動釦２７０が付属している。この摺動釦２７０は、前記ロック部材２５０と一体にまたは別体に形成されている。前記保持柄２の周壁には、軸方向へ向けて長孔として開口している操作孔２４３が形成されており、前記摺動釦２７０は前記操作孔２４３から保持柄２の外側に突出して、摺動釦２７０の外面は、保持柄２の外周面よりもさらに外方へ突出して摺動操作自在となっている。
【００９７】
この清掃用保持具２０１では、例えば図５（Ａ）と同様に、前記ロック部２５３が第１の凹部３８ａに嵌合している係合固定状態から、摺動釦２７０を図８の矢印方向へ摺動させると、ロック部材２５０が圧縮コイルスプリング５５の付勢力に対抗して前記矢印方向へ移動し、ロック部２５３が第１の凹部３８ａから抜け出る。その状態で、支持体４を少し回動させて摺動釦２７０への操作力を除去すると、図５（Ｂ）に示したのと同様に、ロック部２５３の先端が第２の摺動面３９ｂに当接する。その状態で支持体４を少しだけ回動させることで、ロック部２５３を例えば第３の凹部３８ｃに嵌合させることができる。
【００９８】
なお、図８に示す実施の形態において、摺動釦２７０が、ロック部材２５０とを別体のものとして形成された場合には、摺動釦２７０を矢印方向へ摺動させたときに、前記ロック部材２５０は、この摺動釦２７０に押されるようにして矢印方向へ移動させられる。この場合に、前記ロック部材２５０と前記摺動釦２７０とが適当な手段を介して直接的にまたは間接的に相互に係合される。
【００９９】
前記各実施の形態では、押圧釦７０，１７０または摺動釦２７０を操作することにより、ロック部５３，１５１または２５３と、凹部３８ａ，３８ｂ，３８ｃ，３８ｄ，３８ｅのいずれかとの係合固定を解除でき、その後は、ロック部５３，１５１または２５３が、摺動面３９ａ，３９ｂ，３９ｃ，３９ｄのいずれかと摺動して、隣接するいずれかの前記凹部に自動的に嵌合する。そのため、支持体４の向きを簡単に変えることができ、しかも、ロック部５３，１５１，２５３を、凹部３８ａ，３８ｂ，３８ｃ，３８ｄ，３８ｅのいずれかに嵌合させることにより、支持体４を、いずれかのポジション（ｉ）（ｉｉ）（ｉｉｉ）（ｉｖ）（ｖ）に必ず安定させることができるようになる。
【０１００】
しかも、各実施の形態では、ロック機構部６または１０６が、保持柄２，１０２の内部の機構収納空間２ａまたは１０２ｂ内に収納され、押圧釦７０または摺動釦２７０のみが保持柄２，１０２の外面から突出するものであるため、保持柄２，１０２の外面にロック機構部６，１０６が現れることなくコンパクトな外観となる。またロック部材５０，１５０，２５０が、保持柄２，１０２内において軸方向へ移動する構造であるため、細い保持柄２，１０２内に前記ロック機構部６，１０６を収納できる。また、図３および図７に示すように押圧釦７０を保持柄２，１０２の軸方向と直交する向きに押圧する構造にすると、操作が容易となり、または、図８に示すように摺動釦２７０がロック部材２５０と同じ方向へ摺動するものとすると、ロック機構部６の構造をさらに簡単にでき、保持柄２をさらに細くすることが可能になる。
【０１０１】
また、ロック部材５０，１５０，２５０が保持柄２，１０２の内部で軸方向へ移動する構造にすると、ロック部材５０，１５０，２５０のロック部５３，１５１，２５３を、保持柄２，１０２の内径寸法内で許容できる範囲で太くできる。また回動部３１に形成されている各凹部３８ａ〜３８ｅもＸ方向の幅寸法の広いものとなるため、凹部３８ａ，３８ｂ，３８ｃ，３８ｄ，３８ｅのいずれかと、ロック部５３，１５１または２５３との嵌合による係合固定強度を高くできる。
【０１０２】
以上、本発明の実施の形態を図面に基づいて詳細に説明したが、本発明は前記実施の形態に限られるものではなく、発明の要旨を逸脱しない範囲で種々の変更が可能である。
【０１０３】
例えば、前記実施の形態では、前記保持柄２，１０２の軸中心線Ｏｓと、支持体４の回動中心線Ｏｒとが直交するものとして説明したが、前記両中心線ＯｓとＯｒは、正確に直角に交わる必要はない、またこれとともに、中心線Ｏｓを含む平面と中心線Ｏｒを含む平面とが共通でなくてもよい。
【０１０４】
また、前記回動部３１に形成されている前記凹部３８ａ，３８ｂ，３８ｃ，３８ｄ，３８ｅの形状は、回動中心線Ｏｒを中心とする法線方向へ一定の幅寸法に形成されていてもよいし、あるいは前記法線方向に沿って、幅寸法が放射状に拡開する形状であってもよい。また、前記ロック部材５０，１５０，２５０に設けられた前記ロック部５３，１５１，２５３は、前記凹部３８ａ，３８ｂ，３８ｃ，３８ｄ，３８ｅに入り込んで支持体４を安定させることができる形状であればどのようなものであってもよい。ただし、前記凹部３８ａ，３８ｂ，３８ｃ，３８ｄ，３８ｅを前記のような拡開形状とし、前記ロック部５３，１５１，２５３を角柱形状とすると、圧縮コイルスプリング５５のばね力を受けた前記ロック部５３，１５１，２５３が、前記凹部３８ａ，３８ｂ，３８ｃ，３８ｄ，３８ｅの拡開面に確実に当接できるようになるため、ロック部５３，１５１，２５３によって、前記支持体４を確実に係合固定させやすくなって、好ましいものとなる。
【０１０５】
また、前記実施の形態では、第１の凹部３８ａと第２の凹部３８ｂとの間の角度、第１の凹部３８ａと第３の凹部３８ｃとの間の角度、および第３の凹部３８ｃと第４の凹部３８ｄとの間の角度が、それぞれ同じθ１＝４５度であるものについて述べたが、前記各凹部間の角度は必ずしも同じである必要はなく、また前記角度θ１は４５度でなくてもよい。
【０１０６】
また、前記保持柄２，１０２、収納保持柄３、回動連結部５とロック機構部６，１０６を構成する部材の少なくともいずれかが、合成樹脂製ではなく、アルミニウムやアルミニウム合金などの金属またはその合金で形成されていてもよい。
【０１０７】
【発明の効果】
以上のように本発明では、清掃用ワイプスを取り付ける支持体の向きを簡単な操作で変えることができる。また前記支持体の向きを確実に変えた状態で不用意に回動しないように安定させることのできる清掃用保持具およびその清掃用保持具を用いた清掃用物品が得られる。
【図面の簡単な説明】
【図１】（Ａ）（Ｂ）（Ｃ）は本発明の第１の実施の形態の清掃用保持具において支持体の向きが変化した状態を示す全体側面図、
【図２】清掃用保持具の支持体と清掃用ワイプスを示す斜視図、
【図３】前記清掃用保持具の回動連結部とロック機構部を示す分解斜視図、
【図４】図３に示す清掃用保持具をＸ−Ｙ面で切断した断面図、
【図５】（Ａ）（Ｂ）は、図３に示す清掃用保持具をＹ−Ｚ平面で切断した動作別の断面図、
【図６】（Ａ）（Ｂ）は、図３に示す清掃用保持具をＹ−Ｚ平面で切断した動作別の断面図、
【図７】本発明の第２の実施の形態の清掃用保持具のロック機構部を示す分解斜視図、
【図８】本発明の第３の実施の形態の清掃用保持具を示す図４と同等の断面図、
【符号の説明】
１、１０１，２０１　清掃用保持具
２　保持柄
３　収納保持柄
４　支持体
４ａ　清掃支持面
５　回動連結部
６　ロック機構部
３１　回動部
３２　軸孔
３３　支持体
３４　支持空間
３５　支持孔
３８ａ，３８ｂ，３８ｃ，３８ｄ　凹部
３８ｅ　折畳みロック凹部
３９ａ，３９ｂ，３９ｃ，３９ｄ　摺動面
５０　ロック部材
５３　ロック部
５１ｅ，５１ｆ　摺動傾斜面
５４　案内軸
５５　圧縮コイルスプリング（付勢部材）
６０　ストッパ部材
７０　押圧釦（操作部材）
１０２　保持柄
１０２ｂ　機構収納空間
１５０　ロック部材
１５１　ロック部
１６０　ガイド部材
２５０　ロック部材
２５３　ロック部
２７０　摺動釦（操作部材）
【図１】
2004049619.tif 000003
【図２】
2004049619.tif 000004
【図３】
2004049619.tif 000005
【図４】
2004049619.tif 000006
【図５】
2004049619.tif 000007
【図６】
2004049619.tif 000008
【図７】
2004049619.tif 000009
【図８】
2004049619.tif 000010